【手続補正書】
【提出日】平成20年6月26日(2008.6.26)
【手続補正１】
【補正対象書類名】明細書
【補正対象項目名】特許請求の範囲
【補正方法】変更
【補正の内容】
【特許請求の範囲】
【請求項１】
摩損に対する耐性のあるねじ管接ぎ手用の雄又は雌のねじ機素（２）であって、夫々雄又は雌のねじ（１０４、２０４）、ねじのねじ山（１２、５２）の少なくとも表面（１４、１６、１８、２０、５４、５６、５８、６０）上に薄い層（２２）として沈積している潤滑物質を含み、前記表面は前記潤滑物質を吸着しまたは吸収するように処理され、前記潤滑物質が以下の物質の均一な混合物である点に特徴があり：
ａ）  増粘剤；
ｂ）  少なくとも１つの極圧添加剤で、該極圧添加剤または添加剤（複数）は、前記増粘剤と物理的に及び化学的に混合可能で、ケミカルＥＰ添加剤と呼ばれる化学作用を有する少なくとも１つの極圧添加剤を含み、該ケミカルＥＰ添加剤は、１０００ＭＰａ以上のヘルツ圧において、使用の能力があり；及び
ｃ）  オイル；
前記潤滑物質の成分の割合は、前記潤滑物質が自己−供給される潤滑体制及び薄膜−形成特性を確保する粘稠度を有するように選ばれる、摩損に対する耐性のあるねじ管接ぎ手用の雄又は雌のねじ機素（２）。
【請求項２】
ケミカルＥＰ添加剤または添加剤（複数）及び、増粘剤は、オイルに可溶である点に特徴のある請求項１のねじ機素。
【請求項３】
増粘剤は、マークされた極の性質のケミカル分子を有する点に特徴のある請求項１または２のねじ機素。
【請求項４】
増粘剤は、１２０°Ｃまで、好ましくは１６０°Ｃ以上の温度まで、化学的に安定している点に特徴のある請求項１乃至３の中の１のねじ機素。
【請求項５】
増粘剤は、有機増粘剤である点に特徴のある請求項１乃至４の中の１のねじ機素。
【請求項６】
増粘剤は、ミネラル増粘剤である点に特徴のある請求項１乃至４の中の１のねじ機素。
【請求項７】
ケミカルＥＰ添加剤または添加剤（複数）は、硫黄に基づくか硫黄を含むケミカルＥＰ添加剤によって形成されるグループ、燐に基づくそれら、硫黄及び燐に基づくそれら、塩素に基づくそれら、及び、修正したか修正しないエステルまたは修正したか修正しない脂肪酸に基づくそれらまたは複合エステルに基づくそれらから選ばれる点に特徴のある請求項１乃至６の中の１のねじ機素。
【請求項８】
有機増粘剤が酸化されたペトロラタム・ワックスである点、複数のケミカルＥＰ添加剤が使用され、含硫黄生成物、過塩基化されたスルホン酸塩及び金属ジチオリン酸塩を含む点、及び、オイルが鉱物油である点に特徴のある請求項１乃至７の中の１のねじ機素。
【請求項９】
ＥＰ添加剤または添加剤（複数）がサブミクロンの固体粒子の形における物理的作用を持つ少なくとも１つのＥＰ添加剤を含む点に特徴のある請求項１乃至８の中の１のねじ機素。
【請求項１０】
ＥＰ添加剤または添加剤（複数）のうちの少なくとも１つは、耐食特性を有する点に特徴のある請求項１乃至９の中の１のねじ機素。
【請求項１１】
潤滑物質におけるＥＰ添加剤の総含有量は、重量で５％乃至５０％の範囲にある、好ましくは、重量で１５％乃至３２％の範囲にある点、及び、ＥＰ添加剤（複数）は、複数のケミカルＥＰ添加剤（複数）を含む点に特徴のある請求項１乃至１０の中の１のねじ機素。
【請求項１２】
潤滑物質における増粘剤の含有量は、重量で５％乃至６０％の範囲、好ましくは、重量で８％乃至４０％の範囲にある点、及び、潤滑物質におけるオイルの含有量は、重量で３０％乃至７５％の範囲にある点に特徴のある請求項１乃至１１の中の１のねじ機素。
【請求項１３】
潤滑物質における増粘剤の含有量は、重量で６０％乃至８０％の範囲にある点、及び、潤滑物質におけるオイルの含有量は、重量で５％乃至２０％の範囲にある点に特徴のある請求項１１のねじ機素。
【請求項１４】
ケミカルＥＰ添加剤または添加剤（複数）は、塩素化パラフィンを含み、潤滑物質における増粘剤の含有量は、重量で２５％乃至６０％の範囲にある点、潤滑物質におけるＥＰ添加剤の総含有量は、重量で４０％乃至７５％の範囲にある点、及び、潤滑物質におけるオイルの含有量は、重量で０．５％乃至１５％の範囲にある点に特徴のある請求項１乃至１０の中の１のねじ機素。
【請求項１５】
潤滑物質の層の重量は、０．１ ｇ／ｍ２乃至４０ ｇ／ｍ２範囲にある点に特徴のある請求項１乃至１４の中の１のねじ機素。
【請求項１６】
ねじ山の表面（１４， １６， １ ８， ２０， ５４， ５６， ５８， ６０）は、リン酸処理層、シュウ酸エステル処理層及び金属層によって形成されるグループから選ばれる層（３２）の表面である点に特徴のある請求項１乃至１５の中の１のねじ機素。
【請求項１７】
ねじ山の表面（１４， １６， １８， ２０， ５４， ５６， ５８， ６０）は、前記表面に潤滑物質を吸着しまたは吸収するために制御された粗さを与えるように処理される点に特徴のある請求項１乃至１６の中の１のねじ機素。
【請求項１８】
ねじ山の表面（１４， １６， １８， ２０， ５４， ５８， ５６， ６０）は、０．００３ ｍｍ乃至０．０８０ ｍｍの範囲の深さにわたって潤滑物質を吸着しまたは吸収するように処理される点に特徴のある請求項１６又は１７のねじ機素。
【請求項１９】
ねじ機素が少なくとも１つのシール面（２０８）を含み、潤滑物質が、さらに、各シール面上に薄い層（２８）に沈積される点に特徴のある請求項１乃至１８の中の１のねじ機素。
【請求項２０】
ねじ機素が少なくとも１つの当接 （２１０）を含み、潤滑物質が、更に、当接の各面上に薄い層（３０）で沈積する点に特徴のある請求項１乃至１９の中の１のねじ機素。
【請求項２１】
潤滑物質が薄い層として沈積する表面の全てが潤滑物質を吸着しまたは吸収するように処理される点に特徴のある請求項１９又は２０のねじ機素。
【請求項２２】
潤滑物質が耐摩損特性に関しては不活性である重量で５％以下の着色剤を含む点に特徴のある請求項１乃至２１の中の１のねじ機素。
【請求項２３】
雄ねじ機素及び雌ねじ機素を有する耐摩損性ねじ管継ぎ手であって、前記ねじ機素の夫々が対応するねじを有し、該ねじは、一方が他方に接続位置にまで組み立てられるものであり、２つのねじ機素の中の少なくとも１つが請求項１乃至２２の中の１のねじ機素である点に特徴のあるねじ管継ぎ手。
【請求項２４】
請求項２３のねじ管継ぎ手であって、その２つのねじ機素のうちの１つは、請求項１乃至２２の中の１つに従ったねじ機素（２）であり、他方のねじ機素（１）は、薄い層（２１）として直接沈積する潤滑物質をねじ（２０３）のねじ山（５１）の表面上に少なくとも提供され、前記潤滑物質は、以下のものの均一な混合物であり：
ａ）  増粘剤；
ｂ）  少なくとも１つの極圧添加剤で、該極圧添加剤または添加剤（複数）は、前記増粘剤と物理的に及び化学的に混合可能で、ケミカルＥＰ添加剤と呼ばれる化学作用を有する少なくとも１つの極圧添加剤を含み、該ケミカルＥＰ添加剤は、１０００ＭＰａ以上のヘルツ圧において、使用の能力があり；及び
ｃ）  オイル；
前記潤滑物質の成分の割合は、前記潤滑物質が自己供給潤滑体制及び薄膜−形成特性を確保する粘稠度を有するように選ばれる、ねじ管継ぎ手。
【請求項２５】
耐摩損性（ｇａｌｌｉｎｇ−ｒｅｓｉｓｔａｎｔ）ねじ管継ぎ手用の雄又は雌のねじ機素上に潤滑物質の薄い層を形成するための方法であって、該ねじ機素は、夫々雄ねじ又は雌ねじを含み、該潤滑物質は、粘着性のある糊のような粘稠度、フィルム形成特質、及び、自己供給潤滑体制を確保する能力を有し：
ａ）  均一な液体混合物は、以下のものによって形成され、準備され：
・  揮発性溶剤；
・  増粘剤；
・  少なくとも１つの極圧添加剤で、該極圧添加剤または添加剤（複数）は、増粘剤と物理的に及び化学的に混合可能で、１０００ＭＰａ以上のヘルツ圧において使用できる能力があるケミカル作用をもつ少なくとも１つの極圧添加剤を含み；及び
・  オイル；
ｂ）  実質的に一様な厚さの前記液体混合物の薄い層は少なくともねじのねじ山の表面に塗布され、ねじのねじ山の前記表面が前記潤滑物質を吸着しまたは吸収するように処理され；及び
ｃ）  揮発性溶剤は、蒸発するか、蒸発できる；
方法。